(57)【要約】【課題】  高速にトランスコードを行う技術が重要となっている。本発明ではこのような課題を解決し、高速なトランスコード技術を提供することを目的とする。【解決手段】  動画像圧縮されたストリームをデコードするデコーダ装置と、デコード装置でデコードしたデコード画像を保持するデコーダ画像保持装置と、デコーダ画像保持装置に保持された画像を入力画像として、画像圧縮を行うエンコーダ装置を備えたトランスコーダにおいて、デコーダ装置がデコード処理を行ったピクチャ順にデコーダ画像保持装置にデコード画像を保持した画像を入力画像として、その順番にエンコーダ装置でエンコード処理をする事を特徴とするトランスコーダ。【選択図】  図１
2009105516.tif 000002
【特許請求の範囲】
【請求項１】
動画像圧縮されたストリームをデコードするデコーダ装置と、デコード装置でデコードしたデコード画像を保持するデコーダ画像保持装置と、デコーダ画像保持装置に保持された画像を入力画像として、画像圧縮を行うエンコーダ装置を備えたトランスコーダにおいて、デコーダ装置がデコード処理を行ったピクチャ順にデコーダ画像保持装置にデコード画像を保持し、その画像を入力画像としてその順番にエンコーダ装置でエンコード処理を行う事を特徴とするトランスコーダ。
【請求項２】
請求項１のトランスコーダにおいて、エンコーダ装置があるピクチャのエンコードを行うタイミングは、デコーダ装置が該ピクチャのデコード処理を行っている処理の途中か、その次のピクチャデコード時である事を特徴とするトランスコーダ。
【請求項３】
請求項１のトランスコーダにおいて、デコーダ装置の出力画像を保持しておくデコード画像記録手段の保持容量は、デコード画像２枚分の容量か、もしくはそれより少ない容量である事を特徴とするトランスコーダ。
【請求項４】
請求項１のトランスコーダにおいて、デコーダ装置でデコードする動画像はＭＰＥＧ２規格であり、エンコード装置でエンコードする動画像はMPEG4規格であることを特徴とするトランスコーダ。
【請求項５】
請求項１のトランスコーダにおいて、デコーダ装置でデコードするストリームのピクチャ構成とエンコーダ装置の出力となる作成ストリームのピクチャ構成が一致する事を特徴とするトランスコーダ。
【請求項６】
デジタル放送を受信できる放送受信部と、受信信号からビデオ信号とオーディオ信号と付加情報信号に分離するＤｅｍｕｘ部と、Ｄｅｍｕｘにより分離されたビデオ信号を異なる圧縮規格への変換、またはビットレート変換を行うトランスコーダ装置、トランスコード後のビデオ情報と音声情報を多重化するＭｕｘ部と、ＨＤＤなどの記録媒体部と、記録媒体に対して書き込み・読み出しを行う記録媒体制御部を供えたトランスコーダ装置。
【請求項７】
デジタル放送を受信できる放送受信部と、受信信号からビデオ信号とオーディオ信号と付加情報信号に分離するＤｅｍｕｘ部と、Ｄｅｍｕｘにより分離されたビデオ信号をデコードするデコーダ装置を有するデコーダ手段と、
デコード画像を保持する入力画像保持手段と、
その入力画像を異なる圧縮規格への変換、またはビットレート変換を行うエンコーダ手段と、
エンコード後の作成ストリームをＨＤＤなどの記録媒体に保持する記録媒体記録媒体制御部を供えたエンコーダ手段を有し、
デコーダ手段とエンコーダ手段とを接続して画像情報と制御情報と転送し、デコーダ手段がデコード処理を行ったピクチャ順に入力画像保持手段にデコード画像を保持し、その画像を入力画像としてその順番にエンコーダ手段でエンコード処理を行う事を特徴とするトランスコーダ装置。
【発明の詳細な説明】
【技術分野】
【０００１】
本技術は、静止画像と動画像を記録・再生できるカメラやレコーダ等のデジタル機器に適応できる。
【背景技術】
【０００２】
例えば特許文献１では、トランスコードにおいてデコード情報を用いて効率的なエンコードを行う手法が開示されている。
【０００３】
【特許文献１】特開２００３−３０９８５１
【発明の開示】
【発明が解決しようとする課題】
【０００４】
近年動画像を扱う製品について、ビットレート変換や、圧縮規格の変換を目的にトランスコード技術が重要となっている。
【０００５】
トランスコード技術は、通常デコーダとエンコーダを組み合わせた形で実現する場合が多い。
【０００６】
一方、動画像符号化では、画面内符号化（I-ピクチャ）、画面間符号化（P, Bピクチャ）を組み合わせた符号化が用いられている。この際に、時間的に未来の画像を画面間予測の候補としてこう圧縮を実現するBピクチャを用いる際には、入力画像の並び替え（リオーダリング）の処理が必要となる。この並び替えは、エンコード・デコード処理両方において行う。
【０００７】
また、放送におけるストリーム送出の分野では、入力の画像から低遅延でストリームを作成する事が求められる。この場合、入力元が圧縮後のストリームであっても同様に低遅延でトランスコードする必要がある。しかし、特許文献１では、高速化の手法については言及されていない。
【０００８】
これらのことから、高速にトランスコードを行う技術が重要となっている。本発明ではこのような課題を解決し、高速なトランスコード技術を提供することを目的とする。
【課題を解決するための手段】
【０００９】
動画像圧縮されたストリームをデコードするデコーダ装置と、デコード装置でデコードしたデコード画像を保持するデコーダ画像保持装置と、デコーダ画像保持装置に保持された画像を入力画像として、画像圧縮を行うエンコーダ装置を備えたトランスコーダにおいて、デコーダ装置がデコード処理を行ったピクチャ順にデコーダ画像保持装置にデコード画像を保持した画像を入力画像として、その順番にエンコーダ装置でエンコード処理をする事を特徴とするトランスコーダ。
【発明の効果】
【００１０】
トランスコードの処理を高速に行うことができる。
【発明を実施するための最良の形態】
【００１１】
以下、図面を用いて、本発明の好適な実施例を説明する。
【実施例１】
【００１２】
図１に本実施例のトランスコーダ１の構成例を示す。トランスコードの元となる動画像ストリームはデコーダ装置２に入力される。デコーダ装置では、そのストリームのデコード処理を行い、再生画像を作成してデコード画像保持装置３に保持する。そして、その保持された画像を入力画像としてエンコードの処理を行う。なお、入力されるストリームは例えば動画像符号化の国際標準方式であるMPEG2であり、出力するストリームは例えば動画像符号化の国際標準方式であるMPEG4である。但し、他の規格であっても特許は有効である。また、画像のサイズを変換するトランスコーダであっても、画像縮小の機構をデコーダの出力部か、エンコーダ装置４の入力部に用いることで実現する。
【００１３】
この際に、本実施例では、デコーダ装置・エンコーダ装置それぞれで出力・入力画像となるデコード後の画像を保持する領域を共通化し、更に通常行われるリオーダリング処理を行わないことで、デコーダとエンコーダを組み合わせたトランスコーダとしての処理の高速化とデコード画像保持装置の容量削減とを実現する。
【００１４】
図２に、一般的なトランスコードにおける処理の手順を示す。デコード元画像とは、デコーダ装置に入力されるストリームを作成した際のフレーム順番とピクチャ構成を示している。本例では、B0から入力されBBIBBPの順番でエンコードされた例を示している。この様にして作成したストリームをデコーダ装置に入力する。
【００１５】
デコーダ装置では、デコードストリーム構成の順にデコード処理を行う。そして、Ｉ，Ｐ、Ｂピクチャ構造による並び替えを行い、もともとの入力順番にしてエンコーダ装置に入力する。そして、エンコーダ装置でもＢピクチャのエンコード様に入力画像を並び替えてエンコードを行う。
【００１６】
その様な処理をすることで、トランスコーダにストリームが入力されてからデコード処理、エンコード処理を行い出力するまでは、多くのタイムロスを生じてしまう。
【００１７】
そこで本特許では、図３に示す様に、デコード装置によりデコード処理した画像にリオーダリング処理を行わず、そのまま入力画像とすることでトランスコーダにストリームが入力されてから出力されるまでのタイムロスを減らす事が可能である。
また、図２の方式では、デコーダ・エンコーダそれぞれでリオーダリング処理を行う必要があるので、デコード画像保持装置の画像保持面数が最低でもデコーダ側３面、エンコーダ側４面が必要となるが、本方式では、入力画像を直ちにエンコードできるため共通で２面とすることが可能である。更に、デコード途中の画像でエンコードを行うことで、共通で１面でも構成することが可能である。
図４に本トラスコーダを用いたデジタル製品の例を示す。本例では、ＨＤＤレコーダ装置において、地上波デジタル放送をＨＤＤにMPEG4形式にトランスコードをして記録する手法について説明する。
但し、本発明は、ＨＤＤレコーダ装置だけではなく、トランスコードを必要とする製品全般に有効である。
地上波デジタル放送は、放送受信部４１より受信されてＤｅｍｕｘ部４２に入力される。そこでビデオ信号と音声信号と付加情報に分離される。そして、ビデオ信号は本特許として説明したトランスコーダ装置４３に入力され、高圧縮可能なMPEG4形式にトランスコードされる。そして、Ｍｕｘ部４４で音声情報とＭｕｘされて記録媒体制御部４５を解して記録媒体部４６に保持される。
ここで、記録媒体部とは、ＨＤＤ、ＤＶＤやＢＤなどのディスク、半導体メモリ等を表し、本装置では、記録媒体から入力したストリームに対してトランスコードを行い、また、記録媒体に書き戻すことも可能である。
次に、図５にデコーダ５１とエンコーダ５２の異なる機器間でトランスコードを行う場合の実施例について示す。図５は、放送受信部５３で放送波を受信してDemux部５４により映像と音声とデータ放送の分離を行い、デコーダ装置５５によりデコード処理を行うデコーダ機器と、デコーダ機器から出力された画像情報と制御情報とを受け取り、エンコードを行う入力画像として保持を行う入力画像保持装置５６と、入力画像をエンコードするエンコーダ装置５７と、エンコード後のストリームを保持するHDDなどの記録媒体部５８からなるエンコーダ機器から構成される。
ここで、お互いの機器でトランスコードをする事を事前に決めておけば、デコーダ機器からデコード順に画像情報と制御情報を出力し、エンコーダ機器でその画像情報と制御情報からその順番にエンコード処理を行えば、上記同様のトランスコードを行う事が可能である。この際の、制御情報としては、下記の信号が考えられる。
・トランスコードの有無
・ デコード画像出力・開始・終了タイミング
・ デコード画像のIPB等のピクチャタイプや画像サイズ、色差フォーマット
デコーダ機器とエンコード機器の接続は、例えばHDMI接続であり、画像情報の転送とは別にユーザ定義領域に制御情報を付加する事で実現する。
【図面の簡単な説明】
【００１８】
【図１】本発明の実施例の構成図
【図２】従来のトランスコード処理
【図３】本発明の実施例のトランスコード処理
【図４】本発明の実施例のトランスコード装置
【図５】異なる機器間でのトランスコード処理
【符号の説明】
【００１９】
１  トランスコーダ
２  デコーダ装置
３  デコード画像保持装置
４  エンコーダ装置
【図１】
2009105516.tif 000003
【図２】
2009105516.tif 000004
【図３】
2009105516.tif 000005
【図４】
2009105516.tif 000006
【図５】
2009105516.tif 000007